(57)【特許請求の範囲】
【請求項１】
ローラー周面を仮想の球の球面に略倣わせると共に、弾性変形を生じない材料で構成されたローラーベースのローラー周面に、このローラーベースの回転軸に沿う向きに続く弾性突条を、このローラーベースの回転方向において隣り合う弾性突条間に間隔を開けるようにして複数条備えさせてなり、
しかも、各前記弾性突条をそれぞれ、弾性変形を生じる材料から構成された紐状体の下端部を、ローラーベースに設けた溝に入れ込ませてこの溝内に固着させることで、ローラーベースに備えさせてなることを特徴とするマッサージローラー。
【発明の詳細な説明】
【技術分野】
【０００１】
この発明は、身体に押し当てて回転走行させることで、この押し当て箇所にある筋肉を鍛錬し得るマッサージローラーに関する。
【背景技術】
【０００２】
人の筋線維は、これに適度の負荷をかけることで、鍛錬されることが知られている。すなわち、筋線維に適度の負荷をかけることで、筋線維を構成する筋原線維が一旦破壊された後より強靱に再生され、（筋原線維の代謝）これにより筋線維が鍛錬されると考えられている。このような負荷は運動によりもたらされるが、指圧によってももたらされる。例えば、加齢により顔の表情筋の鍛錬が必要とされる場合には、この顔に対する指圧が有効であることが知られている。
【０００３】
身体に押し当て回転走行させて一定のマッサージ効果を身体に作用させる器具として従来より様々なものが提案されているが、（特許文献参照）前記指圧と同様の効果を適切且つ連続的に身体に作用させるようにはなっていない。
【先行技術文献】
【特許文献】
【０００４】
【特許文献１】登録実用新案第３０３８７４４号公報
【特許文献２】登録実用新案第３１２９４０３号公報
【特許文献３】登録実用新案第３１５４７３８号公報
【発明の概要】
【発明が解決しようとする課題】
【０００５】
この発明が解決しようとする主たる問題点は、指圧と同様の効果を適切且つ連続的に身体に作用させて所望の筋肉を鍛錬し得るマッサージローラーを提供することにある。
【課題を解決するための手段】
【０００６】
前記課題を達成するために、この発明にあっては、マッサージローラーを、ローラー周面を仮想の球の球面に略倣わせると共に、弾性変形を生じない材料で構成されたローラーベースのローラー周面に、このローラーベースの回転軸に沿う向きに続く弾性突条を、このローラーベースの回転方向において隣り合う弾性突条間に間隔を開けるようにして複数条備えさせてなり、
しかも、各前記弾性突条をそれぞれ、弾性変形を生じる材料から構成された紐状体の下端部を、ローラーベースに設けた溝に入れ込ませてこの溝内に固着させることで、ローラーベースに備えさせてなるものとした。
【０００７】
マッサージローラーは弾性変形を生じないローラーベースと、これを生じる弾性突条を組み合わせて構成されることから、身体に対しては指圧の場合と同じようにマッサージローラーは押し当てられ、しかもこの押し当て状態において回転走行されることから、指圧と同じ効果を連続的に身体に与えることができ、しかも皮膚を痛めることがない。すなわち、指圧の場合の指の骨にローラーベースが相当し、指圧の場合の指の腹の肉に弾性突条が相当する。また、マッサージローラは、仮想の球の球面にローラー周面を倣わしたローラーベースのこのローラー周面に設けられる弾性突条をもって身体に接することから、身体への接触端において鍛錬対象となる箇所に常時前記筋原線維の代謝の促進に十分な荷重を指圧の場合と同じように作用させる。また、かかるマッサージローラーは、弾性突条をローラーベースの回転軸に沿わせて備えることから、身体における鍛錬対象となる箇所の筋肉の筋線維の連続方向に沿って回転走行させることでこの筋線維を構成する筋原線維をほぐしながら分断する向きの荷重をこの筋原線維に作用させ前記代謝を促進する。
【発明の効果】
【０００８】
この発明にかかるマッサージローラ−によれば、身体における鍛錬対象となる箇所に一定の力で押し当てて回転走行させることにより、指圧と同様の効果を適切且つ連続的に作用させてこの箇所にある筋肉を鍛錬することができる。
【図面の簡単な説明】
【０００９】
【図１】図１はマッサージローラーの正面図である。
【図２】図２はマッサージローラーの要部断面図である。
【図３】図３は支持体にマッサージローラーを組み合わせてなるマッサージ装置の正面構成図である。
【図４】図４は人間の顔の表情筋の一部の配置を示した説明図である。
【発明を実施するための形態】
【００１０】
以下、図１〜図４に基づいて、この発明の典型的な実施の形態について、説明する。この実施の形態にかかるマッサージローラー１は、身体に押し当てて回転走行させることで、この押し当て箇所にある筋肉を鍛錬し得るものである。
【００１１】
具体的には、かかるマッサージローラー１は、単一の回転軸ｘを中心に回転可能に支持され、これを構成するローラーベース１０のローラー周面１０ａを身体の表面、つまり身体における鍛錬対象となる箇所の皮膚に押し当てながらこの回転軸ｘを中心とした回転走行を繰り返すように、つまり往動走行と復動走行を交互に行うように操作することで、この箇所の筋肉を鍛錬し得るものである。
【００１２】
より具体的には、かかるマッサージローラー１は、一定範囲の押しつけ力をもって前記操作を行うことで、筋肉の筋線維を構成する筋原線維の代謝を効果的に促進してこの筋線維を増強し得るものである。典型的には、後述の弾性突条１１が１ｍｍ2 あたり１５ｇ〜３０ｇの荷重で身体に押しつけられるようにすることで、前記筋原線維の代謝、つまり、その破壊と再生が効果的に促されることが認められる。
【００１３】
かかるマッサージローラー１は、ローラー周面１０ａを仮想の球の球面に略倣わせるように構成されたローラーベース１０と、このローラーベース１０のローラー周面１０ａに備えられる複数の弾性突条１１、１１…とから構成されている。
【００１４】
図示の例では、ローラーベース１０は、前記仮想の球の中心を挟んだ左右両側にそれぞれ前記回転軸ｘに直交する端面１０ｂを有し、この左右の端面１０ｂ、１０ｂ間を前記ローラー周面１０ａとしている。図示の例では、かかる左右の端面１０ｂ、１０ｂにはそれぞれボス部１０ｃが形成されており、ローラーベース１０はこの左右のボス部１０ｃ、１０ｃ間に亘る軸穴１０ｅを備えている。そして、図示の例では、この軸穴１０ｅに通されるシャフト３により、マッサージローラー１がその支持体２に回転可能に支持されるようになっている。図３は、かかる支持体２の一例を示している。この図３の例では、支持体２は棒状のグリップ２０の一端にＵ字状のヘッド２１を備え、このヘッド２１の左右両端２１ａ、２１ａ間にマッサージローラー１を回転可能に支持するようになっている。すなわち、前記シャフト３の左端をヘッド２１の左端２１ａに支持させ、前記シャフト３の右端をヘッド２１の右端２１ａに支持させ、このシャフト３の中心軸が前記回転軸ｘとなるようになっている。マッサージローラー１はかかる支持体２などの適宜の支持体と組み合わされてマッサージ装置を構成する。
【００１５】
かかるローラーベース１０は、そのローラー周面１０ａを前記の荷重が作用されるように身体に押しつけたときに、弾性変形を生じない硬さを持った材料により構成される。典型的には、かかるローラーベース１０は、金属や硬質の合成樹脂により構成される。
【００１６】
一方、前記弾性突条１１は、前記ローラーベース１０のローラー周面１０ａを前記の荷重が作用されるように身体に押しつけたときに、適度な弾性変形を生じる材料により構成される。典型的には、かかる弾性突条１１は、ゴムやゴム状弾性を持った合成樹脂により構成される。
【００１７】
図示の例では、かかる弾性突条１１は、ローラベースの左側の端面１０ｂとローラー周面１０ａとがなす縁部１０ｄと、このローラベースの右側の端面１０ｂとローラー周面１０ａとがなす縁部１０ｄとの間に亘って、ローラー周面１０ａに固着されている。図示の例では、隣り合う弾性突条１１間には、ローラーベース１０の回転方向におけるどの位置においても、略等しい間隔が形成されている。
【００１８】
図示の例では、各弾性突条１１はそれぞれ前記弾性変形を生じる材料から構成された紐状体１１ａの下端部を、ローラーベース１０に設けた溝１０ｆに入れ込ませてこの溝１０ｆ内に固着させることで、ローラーベース１０に備えられている。かかる固着は、典型的には、接着により、あるいは、ローラーベース１０をインサートとしたインサート成形によりこのローラーベース１０のローラー周面１０ａに弾性突条１１を設けることにより、あるいは、ローラーベース１０と弾性突条１１を二色成形により同時に成形することにより、なされる。
【００１９】
典型的には、ローラーベース１０のローラ周面の倣う仮想の球の直径を３０ｍｍ〜４５ｍｍの範囲とすると共に、弾性突条１１を構成する前記紐状体がローラー周面１０ａから少なくとも１ｍｍ〜２ｍｍの範囲で突出され、隣り合う弾性突条１１、１１間に４ｍｍ〜７ｍｍの間隔が開けられるようにする。
【００２０】
なお、図示の例では、各弾性突条１１はそれぞれ、その長さ方向略中程の位置１１ｂにおいて、やや湾曲されている。
【００２１】
マッサージローラー１は弾性変形を生じないローラーベース１０と、これを生じる弾性突条１１を組み合わせて構成されることから、身体に対しては指圧の場合と同じようにマッサージローラー１は押し当てられ、しかもこの押し当て状態において回転走行されることから、指圧と同じ効果を連続的に身体に与えることができ、しかも皮膚を痛めることがない。すなわち、指圧の場合の指の骨にローラーベース１０が相当し、指圧の場合の指の腹の肉に弾性突条１１が相当する。また、マッサージローラは、仮想の球の球面にローラー周面１０ａを倣わしたローラーベース１０のこのローラー周面１０ａに設けられる弾性突条１１をもって身体に接することから、身体への接触端において鍛錬対象となる箇所に常時前記筋原線維の代謝の促進に十分な荷重を指圧の場合と同じように作用させる。また、かかるマッサージローラー１は、弾性突条１１をローラーベース１０の回転軸ｘに沿わせて備えることから、身体における鍛錬対象となる箇所の筋肉の筋線維の連続方向に沿って回転走行させることでこの筋線維を構成する筋原線維をほぐしながら分断する向きの荷重をこの筋原線維に作用させ前記代謝を促進する。
【００２２】
かかるマッサージローラー１は、図示の例では、前記支持体２のグリップを把持してマッサージローラー１を前記弾性突条１１が１ｍｍ2 あたり１５ｇ〜３０ｇの荷重で身体に押しつけられる力で身体に押しつけ回転走行させて用いる。かかるマッサージローラー１は、例えば、顔の表情筋を鍛錬する場合には、図４において符号１０１で示される小頬骨筋や、符号１０２で示される大頬骨筋や、符号１０３で示される上唇挙筋の連続方向に沿ってローラーベース１０が走行するように、顔面に押し当てて用いる。
【符号の説明】
【００２３】
ｘ  回転軸
１  マッサージローラー
１０  ローラーベース
１０ａ  ローラー周面
１１  弾性突条
【図１】
0005547537.tif 000002
【図２】
0005547537.tif 000003
【図３】
0005547537.tif 000004
【図４】
0005547537.tif 000005